【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
ＨＦＣ系疑似共沸混合冷媒を用い、圧縮機と、前記圧縮機から吐出されたＨＦＣ系疑似共沸混合冷媒を凝縮させるための凝縮器と、前記凝縮器からの冷媒を、蒸発器を有する低圧機器側に送るための冷媒配管と、前記低圧機器側からの冷媒を前記圧縮機に送るための冷媒配管とを備える冷凍機において、
前記凝縮器で凝縮され、前記低圧機器側に送る冷媒が流入する受液器と、前記受液器からの液冷媒を更に冷却する過冷却器と、前記過冷却器で冷却され、前記低圧機器側に送る冷媒の一部を前記圧縮機における圧縮途中の圧縮室に注入するための液インジェクションラインとを備え、
前記凝縮器で凝縮された冷媒を更に前記過冷却器で過冷却することで液冷媒が前記低圧機器に至る冷媒配管途中でフラッシュガスになることが抑制されると共に、前記フラッシュガスになることが抑制された前記液冷媒の一部を前記圧縮機における圧縮途中の圧力室に注入するようにしたことを特徴とする冷凍機。
【請求項２】
請求項１記載の冷凍機において、
前記ＨＦＣ系疑似共沸混合冷媒は、Ｒ４０４ＡまたはＲ５０７Ａであることを特徴とする冷凍機。
【請求項３】
ＨＦＣ系疑似共沸混合冷媒を用い、スクロール圧縮機と、前記圧縮機から吐出されたＨＦＣ系疑似共沸混合冷媒を凝縮させるための凝縮器と、前記凝縮器からの冷媒を、蒸発器を有する低圧機器側に送るための冷媒配管と、前記低圧機器側からの冷媒を前記圧縮機に送るための冷媒配管とを備える冷凍機において、
前記凝縮器で凝縮された冷媒が流入する受液器と、
前記受液器からの液冷媒を更に冷却する過冷却器と、
冷媒を凝縮器から低圧機器側に送るための前記冷媒配管に設けられ、冷媒の状態を観察可能なサイトグラスと、
前記サイトグラス上流の前記液冷媒を前記スクロール圧縮機における圧縮途中の中間圧力室に注入するための液インジェクションラインとを備え、
前記凝縮器で凝縮された冷媒を前記過冷却器で過冷却することで液冷媒が前記低圧機器に至る冷媒配管途中でフラッシュガスになることが抑制されると共に、前記フラッシュガスになることが抑制された前記液冷媒の一部を前記スクロール圧縮機における圧縮途中の中間圧力室に注入するようにしたことを特徴とする冷凍機。
【請求項４】
請求項３記載の冷凍機において、
前記凝縮器で凝縮された冷媒が流入する前記受液器から液冷媒を前記過冷却器に導くように構成すると共に、前記過冷却器の下流側に更に別の第２受液器を設け、前記第２受液器と前記サイトグラスとの間の液冷媒を前記液インジェクションラインを介して前記スクロール圧縮機に注入するようにしたことを特徴とする冷凍機。
【請求項５】
請求項１〜４の何れか１項に記載の冷凍機において、
前記液インジェクションラインには電磁開閉弁及び電子膨張弁を更に備えることを特徴とする冷凍機。
【請求項６】
請求項１〜４の何れか１項に記載の冷凍機において、
前記液インジェクションラインには電磁弁が設けられ、前記電磁弁は前記圧縮機の停止時に閉とされるように制御されることを特徴とする冷凍機。
【請求項７】
圧縮機を備える冷凍装置用の圧縮機ユニットと、凝縮器及び冷却ファンを備える冷凍装置用の空冷式凝縮器ユニットとを備え、
前記圧縮機ユニットは、前記圧縮機により圧縮されるＨＦＣ系疑似共沸混合冷媒を前記凝縮器ユニットの凝縮器に送るための配管と、前記凝縮器ユニットからの冷媒を低圧機器側に流すための冷媒配管と、この冷媒配管を流れる液冷媒を前記圧縮機における圧縮途中の圧縮室に流入するための液インジェクションラインと、低圧機器側からの冷媒を前記圧縮機に送るための冷媒配管と、この冷媒配管の途中に設けられたアキュームレータとを備え、
前記空冷式凝縮器ユニットは、前記圧縮機ユニット側からのＨＦＣ系疑似共沸混合冷媒を前記凝縮器に送るための冷媒配管と、前記凝縮器からの冷媒が流入する受液器と、この受液器から取り出された液冷媒のみをさらに冷却するための過冷却器と、この過冷却器からの冷媒を前記圧縮機ユニット側に送るための冷媒配管とを備えていることを特徴とする空冷セパレート式冷凍機。
【請求項８】
請求項７記載の空冷セパレート式冷凍機において、
前記圧縮機ユニットには、前記凝縮器ユニットからの冷媒を低圧機器側に流すための冷媒配管の途中に、冷媒中に混入した水分を除去すると共にフィルタとしての機能も有するドライヤと、冷媒の流動状態を観察可能なサイトグラスとを設け、これらドライヤとサイトグラスとの間の液冷媒を前記圧縮機に注入するように前記液インジェクションラインが設けられていることを特徴とする空冷セパレート式冷凍機。
【請求項９】
請求項７または８に記載の空冷セパレート式冷凍機において、
前記ＨＦＣ系疑似共沸混合冷媒はＲ４０４Ａであり、前記圧縮機はスクロール圧縮機であることを特徴とする空冷セパレート式冷凍機。
【請求項１０】
請求項９記載の空冷セパレート式冷凍機において、
前記凝縮器ユニットからの冷媒を低圧機器側に流すための冷媒配管の途中に気液分離器を設け、前記気液分離器と前記アキュームレータとを一体に構成することで気液分離器内の冷媒をアキュームレータ内の冷媒で冷却できるようにし、前記気液分離器下流側の液冷媒を前記液インジェクションラインを介して前記スクロール圧縮機の圧縮室に注入するようにしたことを特徴とする空冷セパレート式冷凍機。
【手続補正２】
【補正対象書類名】明細書
【補正対象項目名】発明の名称
【補正方法】変更
【補正の内容】
【発明の名称】冷凍機及び空冷セパレート式冷凍機
【手続補正３】
【補正対象書類名】明細書
【補正対象項目名】０００８
【補正方法】変更
【補正の内容】
【０００８】
上記目的を達成するための本発明の第１の特徴は、ＨＦＣ系疑似共沸混合冷媒を用い、圧縮機と、前記圧縮機から吐出されたＨＦＣ系疑似共沸混合冷媒を凝縮させるための凝縮器と、前記凝縮器からの冷媒を、蒸発器を有する低圧機器側に送るための冷媒配管と、前記低圧機器側からの冷媒を前記圧縮機に送るための冷媒配管とを備える冷凍機において、前記凝縮器で凝縮され、前記低圧機器側に送る冷媒が流入する受液器と、前記受液器からの液冷媒を更に冷却する過冷却器と、前記過冷却器で冷却され、前記低圧機器側に送る冷媒の一部を前記圧縮機における圧縮途中の圧縮室に注入するための液インジェクションラインとを備え、前記凝縮器で凝縮された冷媒を更に前記過冷却器で過冷却することで液冷媒が前記低圧機器に至る冷媒配管途中でフラッシュガスになることが抑制されると共に、前記フラッシュガスになることが抑制された前記液冷媒の一部を前記圧縮機における圧縮途中の圧力室に注入するようにしたことにある。
【手続補正４】
【補正対象書類名】明細書
【補正対象項目名】０００９
【補正方法】変更
【補正の内容】
【０００９】
本発明の第２の特徴は、前記ＨＦＣ系疑似共沸混合冷媒は、Ｒ４０４ＡまたはＲ５０７Ａである。
【手続補正５】
【補正対象書類名】明細書
【補正対象項目名】００１０
【補正方法】変更
【補正の内容】
【００１０】
本発明の第３の特徴は、ＨＦＣ系疑似共沸混合冷媒を用い、スクロール圧縮機と、前記圧縮機から吐出されたＨＦＣ系疑似共沸混合冷媒を凝縮させるための凝縮器と、前記凝縮器からの冷媒を、蒸発器を有する低圧機器側に送るための冷媒配管と、前記低圧機器側からの冷媒を前記圧縮機に送るための冷媒配管とを備える冷凍機において、前記凝縮器で凝縮された冷媒が流入する受液器と、前記受液器からの液冷媒を更に冷却する過冷却器と、冷媒を凝縮器から低圧機器側に送るための前記冷媒配管に設けられ、冷媒の状態を観察可能なサイトグラスと、前記サイトグラス上流の前記液冷媒を前記スクロール圧縮機における圧縮途中の中間圧力室に注入するための液インジェクションラインとを備え、前記凝縮器で凝縮された冷媒を前記過冷却器で過冷却することで液冷媒が前記低圧機器に至る冷媒配管途中でフラッシュガスになることが抑制されると共に、前記フラッシュガスになることが抑制された前記液冷媒の一部を前記スクロール圧縮機における圧縮途中の中間圧力室に注入するようにしたことにある。
【手続補正６】
【補正対象書類名】明細書
【補正対象項目名】００１１
【補正方法】変更
【補正の内容】
【００１１】
本発明の第４の特徴は、冷凍機において、前記凝縮器で凝縮された冷媒が流入する前記受液器から液冷媒を前記過冷却器に導くように構成すると共に、前記過冷却器の下流側に更に別の第２受液器を設け、前記第２受液器と前記サイトグラスとの間の液冷媒を前記液インジェクションラインを介して前記スクロール圧縮機に注入するようにしたことにある。
【手続補正７】
【補正対象書類名】明細書
【補正対象項目名】００１２
【補正方法】変更
【補正の内容】
【００１２】
本発明の第５の特徴は、冷凍機において、前記液インジェクションラインには電磁開閉弁及び電子膨張弁を更に備えることにある。
【手続補正８】
【補正対象書類名】明細書
【補正対象項目名】００１３
【補正方法】変更
【補正の内容】
【００１３】
本発明の第６の特徴は、冷凍機において、前記液インジェクションラインには電磁弁が設けられ、前記電磁弁は前記圧縮機の停止時に閉とされるように制御されることにある。
【手続補正９】
【補正対象書類名】明細書
【補正対象項目名】００１４
【補正方法】変更
【補正の内容】
【００１４】
本発明の第７の特徴は、圧縮機を備える冷凍装置用の圧縮機ユニットと、凝縮器及び冷却ファンを備える冷凍装置用の空冷式凝縮器ユニットとを備え、前記圧縮機ユニットは、前記圧縮機により圧縮されるＨＦＣ系疑似共沸混合冷媒を前記凝縮器ユニットの凝縮器に送るための配管と、前記凝縮器ユニットからの冷媒を低圧機器側に流すための冷媒配管と、この冷媒配管を流れる液冷媒を前記圧縮機における圧縮途中の圧縮室に流入するための液インジェクションラインと、低圧機器側からの冷媒を前記圧縮機に送るための冷媒配管と、この冷媒配管の途中に設けられたアキュームレータとを備え、前記空冷式凝縮器ユニットは、前記圧縮機ユニット側からのＨＦＣ系疑似共沸混合冷媒を前記凝縮器に送るための冷媒配管と、前記凝縮器からの冷媒が流入する受液器と、この受液器から取り出された液冷媒のみをさらに冷却するための過冷却器と、この過冷却器からの冷媒を前記圧縮機ユニット側に送るための冷媒配管とを備えていることにある。
【手続補正１０】
【補正対象書類名】明細書
【補正対象項目名】００１５
【補正方法】変更
【補正の内容】
【００１５】
本発明の第８の特徴は、空冷セパレート式冷凍機において、前記圧縮機ユニットには、前記凝縮器ユニットからの冷媒を低圧機器側に流すための冷媒配管の途中に、冷媒中に混入した水分を除去すると共にフィルタとしての機能も有するドライヤと、冷媒の流動状態を観察可能なサイトグラスとを設け、これらドライヤとサイトグラスとの間の液冷媒を前記圧縮機に注入するように前記液インジェクションラインが設けられていることにある。
【手続補正１１】
【補正対象書類名】明細書
【補正対象項目名】００１６
【補正方法】変更
【補正の内容】
【００１６】
本発明の第９の特徴は、空冷セパレート式冷凍機において、前記ＨＦＣ系疑似共沸混合冷媒はＲ４０４Ａであり、前記圧縮機はスクロール圧縮機であることにある。
【手続補正１２】
【補正対象書類名】明細書
【補正対象項目名】００１７
【補正方法】変更
【補正の内容】
【００１７】
本発明の第１０の特徴は、空冷セパレート式冷凍機において、前記凝縮器ユニットからの冷媒を低圧機器側に流すための冷媒配管の途中に気液分離器を設け、前記気液分離器と前記アキュームレータとを一体に構成することで気液分離器内の冷媒をアキュームレータ内の冷媒で冷却できるようにし、前記気液分離器下流側の液冷媒を前記液インジェクションラインを介して前記スクロール圧縮機の圧縮室に注入するようにしたことにある。